【手続補正書】
【提出日】平成21年9月28日(2009.9.28)
【手続補正１】
【補正対象書類名】特許請求の範囲
【補正対象項目名】全文
【補正方法】変更
【補正の内容】
【特許請求の範囲】
【請求項１】
駆動源からの動力を受けて回転する駆動ギアと、
前記駆動ギアを介して該駆動源からの動力を受けて回転する従動ギアと、
前記駆動ギアから前記従動ギアへ該駆動源の動力を伝達する噛み合いクラッチであって、駆動側ラチェットと、第１の位置と第２の位置との間を前記クラッチの軸方向へ移動可能であり前記駆動側ラチェットと係合する従動側ラチェットと、を有する噛み合いクラッチと、
前記従動側ラチェットを前記駆動側ラチェットに向けて付勢する付勢部材と、
を備えた駆動伝達装置であって、
前記第１の位置は、前記従動側ラチェットが前記駆動側ラチェットと前記クラッチの軸方向で完全に噛み合うときの前記従動側ラチェットの位置であり、前記第２の位置は、前記従動側ラチェットの爪の先端が前記駆動側ラチェットの爪の先端と前記クラッチの軸方向で同位置にあるときの前記従動側ラチェットの位置であり、
前記従動側ラチェットが前記第２の位置に位置する場合、前記付勢部材の付勢力が前記従動側ラチェットに作用し、前記従動側ラチェットが前記第１の位置に位置する場合、前記付勢部材の付勢力が前記従動側ラチェットに作用しないことを特徴とする駆動伝達装置。
【請求項２】
前記付勢部材は圧縮バネであることを特徴とする請求項１に記載の駆動伝達装置。
【請求項３】
前記付勢部材は板バネであることを特徴とする請求項１に記載の駆動伝達装置。
【請求項４】
前記圧縮バネの一端を規制する規制部材を備え、
前記従動ギアと前記従動側ラチェットとは１つの部材であって、
前記従動側ラチェットが前記第１の位置に位置する時の前記従動ギアと前記規制部材との間の距離をｘ１とし、前記従動側ラチェットが前記第２の位置に位置する時の前記従動ギアと前記規制部材との間の距離をｘ２とし、前記圧縮バネの自然長をｈとした場合、
ｘ１＞ｈ＞ｘ２
の関係式が満たされることを特徴とする請求項２に記載の駆動伝達装置。
【請求項５】
前記従動ギアははす歯ギアであり、前記はす歯ギアと前記従動側ラチェットとは１つの
部材であって、
前記従動側ラチェットが該駆動源から正回転方向の動力を受けて回転するとき、前記はす歯ギアは前記従動側ラチェットを前記駆動側ラチェットに向けて付勢することを特徴とする請求項１に記載の駆動伝達装置。
【請求項６】
前記駆動側ラチェットと前記従動側ラチェットはそれぞれ捩れ角度が設定された爪形状を有し、前記従動ギアと前記従動側ラチェットとは１つの部材であって、
前記従動側ラチェットが該駆動源から正回転方向の動力を受けて回転するとき、前記爪形状は前記従動側ラチェットを前記駆動側ラチェットに向けて付勢することを特徴とする請求項１に記載の駆動伝達装置。
【請求項７】
駆動源と、
前記駆動源からの動力を受けて回転する駆動ギアと、
前記駆動ギアを介して該駆動源からの動力を受けて回転する従動ギアと、
前記駆動ギアから前記従動ギアへ前記駆動源の動力を伝達する噛み合いクラッチであって、駆動側ラチェットと、第１の位置と第２の位置との間を前記クラッチの軸方向へ移動可能であり前記駆動側ラチェットと係合する従動側ラチェットと、を有する噛み合いクラッチと、
前記従動ギアと連動して回転するシート搬送ローラと、
前記従動側ラチェットを前記駆動側ラチェットに向けて付勢する付勢部材と、
を備えたシート搬送装置であって、
前記第１の位置は、前記従動側ラチェットが前記駆動側ラチェットと前記クラッチの軸方向で完全に噛み合うときの前記従動側ラチェットの位置であり、前記第２の位置は、前記従動側ラチェットの爪の先端が前記駆動側ラチェットの爪の先端と前記クラッチの軸方向で同位置にあるときの前記従動側ラチェットの位置であり、
前記従動側ラチェットが前記第２の位置に位置する場合、前記付勢部材の付勢力が前記従動側ラチェットに作用し、前記従動側ラチェットが前記第１の位置に位置する場合、前記付勢部材の付勢力が前記従動側ラチェットに作用しないことを特徴とするシート搬送装置。
【請求項８】
駆動源と、
前記駆動源からの動力を受けて回転する駆動ギアと、
前記駆動ギアを介して該駆動源からの動力を受けて回転する従動ギアと、
前記駆動ギアから前記従動ギアへ前記駆動源の動力を伝達する噛み合いクラッチであって、駆動側ラチェットと、前記クラッチの軸方向へ移動可能であり前記駆動側ラチェットと係合する従動側ラチェットと、を有する噛み合いクラッチと、
前記従動ギアと連動して回転するシート搬送ローラと、
を備えたシート搬送装置であって、
前記従動ギアははす歯ギアであり、前記はす歯ギアと前記従動側ラチェットとは１つの部材であり、
前記従動側ラチェットが前記駆動源からシート搬送方向の動力を受けて回転するとき、前記はす歯ギアは前記従動側ラチェットを前記駆動側ラチェットに向けて付勢し、前記従動側ラチェットが前記シート搬送ローラからシート搬送方向の動力を受けて回転するとき、前記はす歯ギアは前記従動側ラチェットを前記駆動側ラチェットから離す方向に付勢することを特徴とするシート搬送装置。
【請求項９】
駆動源からの動力を受けて回転する駆動ギアと、
前記駆動ギアを介して該駆動源からの動力を受けて回転する従動ギアと、
前記駆動ギアから前記従動ギアへ該駆動源からの動力を伝達する噛み合いクラッチであって、第１の位置と第２の位置との間を前記クラッチの軸方向へ移動可能である駆動側ラ
チェットと、前記駆動側ラチェットと係合する従動側ラチェットと、を有する噛み合いクラッチと、
前記駆動側ラチェットを前記従動側ラチェットに向けて付勢する付勢部材と、
を備えた駆動伝達装置であって、
前記第１の位置は、前記駆動側ラチェットが前記従動側ラチェットと前記クラッチの軸方向で完全に噛み合うときの前記駆動側ラチェットの位置であり、前記第２の位置は、前記駆動側ラチェットの爪の先端が前記従動側ラチェットの爪の先端と前記クラッチの軸方向で同位置にあるときの前記駆動側ラチェットの位置であり、
前記駆動側ラチェットが前記第２の位置に位置する場合、前記付勢部材の付勢力が前記駆動側ラチェットに作用し、前記駆動側ラチェットが前記第１の位置に位置する場合、前記駆動部材の付勢力が前記従動側ラチェットに作用しないことを特徴とする駆動伝達装置。
【請求項１０】
前記付勢部材は圧縮バネであることを特徴とする請求項９に記載の駆動伝達装置。
【請求項１１】
前記付勢部材は板バネであることを特徴とする請求項９に記載の駆動伝達装置。
【請求項１２】
前記圧縮バネの一端を規制する規制部材を備え、
前記駆動ギアと前記駆動側ラチェットとは１つの部材であって、
前記駆動側ラチェットが前記第１の位置に位置する時の前記駆動ギアと前記規制部材との間の距離をｘ３とし、前記駆動側ラチェットが前記第２の位置に位置する時の前記駆動ギアと前記規制部材との間の距離をｘ４とし、前記圧縮バネの自然長をｈとした場合、
ｘ３＞ｈ＞ｘ４
の関係式が満たされることを特徴とする請求項１０に記載の駆動伝達装置。
【請求項１３】
駆動源と、
前記駆動源からの動力を受けて回転する駆動ギアと、
前記駆動ギアを介して該駆動源からの動力を受けて回転する従動ギアと、
前記駆動ギアから前記従動ギアへ前記駆動源の動力を伝達する噛み合いクラッチであって、第１の位置と第２の位置との間を前記クラッチの軸方向へ移動可能である駆動側ラチェットと、前記駆動側ラチェットと係合する従動側ラチェットと、を有する噛み合いクラッチと、
前記従動ギアと連動して回転するシート搬送ローラと、
前記駆動側ラチェットを前記従動側ラチェットに向けて付勢する付勢部材と、
を備えたシート搬送装置であって、
前記第１の位置は、前記駆動側ラチェットが前記従動側ラチェットと前記クラッチの軸方向で完全に噛み合うときの前記駆動側ラチェットの位置であり、前記第２の位置は、前記駆動側ラチェットの爪の先端が前記従動側ラチェットの爪の先端と前記クラッチの軸方向で同位置にあるときの前記駆動側ラチェットの位置であり、
前記駆動側ラチェットが前記第２の位置に位置する場合、前記付勢部材の付勢力が前記駆動側ラチェットに作用し、前記駆動側ラチェットが前記第１の位置に位置する場合、前記付勢部材の付勢力が前記駆動側ラチェットに作用しないことを特徴とするシート搬送装置。
【請求項１４】
駆動源と、
前記駆動源からの動力を受けて回転する駆動ギアと、
前記駆動ギアを介して該駆動源からの動力を受けて回転する従動ギアと、
前記駆動ギアから前記従動ギアへ前記駆動源の動力を伝達する噛み合いクラッチであって、前記クラッチの軸方向へ移動可能である駆動側ラチェットと、前記駆動側ラチェットと係合する従動側ラチェットと、を有する噛み合いクラッチと、
前記従動ギアと連動して回転するシート搬送ローラと、
を備えたシート搬送装置であって、
前記駆動ギアははす歯ギアであり、前記はす歯ギアと前記駆動側ラチェットとは１つの部材であり、
前記駆動側ラチェットが前記駆動源からシート搬送方向の動力を受けて回転するとき、前記はす歯ギアは前記駆動側ラチェットを前記従動側ラチェットに向けて付勢し、前記駆動側ラチェットが前記シート搬送ローラからシート搬送方向の動力を受けるとき、前記はす歯ギアは前記駆動側ラチェットを前記従動側ラチェットから離す方向に付勢することを特徴とするシート搬送装置。
【手続補正２】
【補正対象書類名】明細書
【補正対象項目名】００１５
【補正方法】変更
【補正の内容】
【００１５】
上記目的を達成するために本発明にあっては、
駆動源からの動力を受けて回転する駆動ギアと、
前記駆動ギアを介して該駆動源からの動力を受けて回転する従動ギアと、
前記駆動ギアから前記従動ギアへ該駆動源の動力を伝達する噛み合いクラッチであって、駆動側ラチェットと、第１の位置と第２の位置との間を前記クラッチの軸方向へ移動可能であり前記駆動側ラチェットと係合する従動側ラチェットと、を有する噛み合いクラッチと、
前記従動側ラチェットを前記駆動側ラチェットに向けて付勢する付勢部材と、
を備えた駆動伝達装置であって、
前記第１の位置は、前記従動側ラチェットが前記駆動側ラチェットと前記クラッチの軸方向で完全に噛み合うときの前記従動側ラチェットの位置であり、前記第２の位置は、前記従動側ラチェットの爪の先端が前記駆動側ラチェットの爪の先端と前記クラッチの軸方向で同位置にあるときの前記従動側ラチェットの位置であり、
前記従動側ラチェットが前記第２の位置に位置する場合、前記付勢部材の付勢力が前記従動側ラチェットに作用し、前記従動側ラチェットが前記第１の位置に位置する場合、前記付勢部材の付勢力が前記従動側ラチェットに作用しないことを特徴とする。
【手続補正３】
【補正対象書類名】明細書
【補正対象項目名】００１６
【補正方法】変更
【補正の内容】
【００１６】
また、駆動源と、
前記駆動源からの動力を受けて回転する駆動ギアと、
前記駆動ギアを介して該駆動源からの動力を受けて回転する従動ギアと、
前記駆動ギアから前記従動ギアへ前記駆動源の動力を伝達する噛み合いクラッチであって、駆動側ラチェットと、第１の位置と第２の位置との間を前記クラッチの軸方向へ移動可能であり前記駆動側ラチェットと係合する従動側ラチェットと、を有する噛み合いクラッチと、
前記従動ギアと連動して回転するシート搬送ローラと、
前記従動側ラチェットを前記駆動側ラチェットに向けて付勢する付勢部材と、
を備えたシート搬送装置であって、
前記第１の位置は、前記従動側ラチェットが前記駆動側ラチェットと前記クラッチの軸
方向で完全に噛み合うときの前記従動側ラチェットの位置であり、前記第２の位置は、前記従動側ラチェットの爪の先端が前記駆動側ラチェットの爪の先端と前記クラッチの軸方向で同位置にあるときの前記従動側ラチェットの位置であり、
前記従動側ラチェットが前記第２の位置に位置する場合、前記付勢部材の付勢力が前記従動側ラチェットに作用し、前記従動側ラチェットが前記第１の位置に位置する場合、前記付勢部材の付勢力が前記従動側ラチェットに作用しないことを特徴とする。
【手続補正４】
【補正対象書類名】明細書
【補正対象項目名】００１７
【補正方法】変更
【補正の内容】
【００１７】
また、駆動源と、
前記駆動源からの動力を受けて回転する駆動ギアと、
前記駆動ギアを介して該駆動源からの動力を受けて回転する従動ギアと、
前記駆動ギアから前記従動ギアへ前記駆動源の動力を伝達する噛み合いクラッチであって、駆動側ラチェットと、前記クラッチの軸方向へ移動可能であり前記駆動側ラチェットと係合する従動側ラチェットと、を有する噛み合いクラッチと、
前記従動ギアと連動して回転するシート搬送ローラと、
を備えたシート搬送装置であって、
前記従動ギアははす歯ギアであり、前記はす歯ギアと前記従動側ラチェットとは１つの部材であり、
前記従動側ラチェットが前記駆動源からシート搬送方向の動力を受けて回転するとき、前記はす歯ギアは前記従動側ラチェットを前記駆動側ラチェットに向けて付勢し、前記従動側ラチェットが前記シート搬送ローラからシート搬送方向の動力を受けて回転するとき、前記はす歯ギアは前記従動側ラチェットを前記駆動側ラチェットから離す方向に付勢することを特徴とする。
【手続補正５】
【補正対象書類名】明細書
【補正対象項目名】００１８
【補正方法】変更
【補正の内容】
【００１８】
また、駆動源からの動力を受けて回転する駆動ギアと、
前記駆動ギアを介して該駆動源からの動力を受けて回転する従動ギアと、
前記駆動ギアから前記従動ギアへ該駆動源からの動力を伝達する噛み合いクラッチであって、第１の位置と第２の位置との間を前記クラッチの軸方向へ移動可能である駆動側ラチェットと、前記駆動側ラチェットと係合する従動側ラチェットと、を有する噛み合いクラッチと、
前記駆動側ラチェットを前記従動側ラチェットに向けて付勢する付勢部材と、
を備えた駆動伝達装置であって、
前記第１の位置は、前記駆動側ラチェットが前記従動側ラチェットと前記クラッチの軸方向で完全に噛み合うときの前記駆動側ラチェットの位置であり、前記第２の位置は、前記駆動側ラチェットの爪の先端が前記従動側ラチェットの爪の先端と前記クラッチの軸方向で同位置にあるときの前記駆動側ラチェットの位置であり、
前記駆動側ラチェットが前記第２の位置に位置する場合、前記付勢部材の付勢力が前記駆動側ラチェットに作用し、前記駆動側ラチェットが前記第１の位置に位置する場合、前記駆動部材の付勢力が前記従動側ラチェットに作用しないことを特徴とする。
【手続補正６】
【補正対象書類名】明細書
【補正対象項目名】００１９
【補正方法】変更
【補正の内容】
【００１９】
また、駆動源と、
前記駆動源からの動力を受けて回転する駆動ギアと、
前記駆動ギアを介して該駆動源からの動力を受けて回転する従動ギアと、
前記駆動ギアから前記従動ギアへ前記駆動源の動力を伝達する噛み合いクラッチであって、第１の位置と第２の位置との間を前記クラッチの軸方向へ移動可能である駆動側ラチェットと、前記駆動側ラチェットと係合する従動側ラチェットと、を有する噛み合いクラッチと、
前記従動ギアと連動して回転するシート搬送ローラと、
前記駆動側ラチェットを前記従動側ラチェットに向けて付勢する付勢部材と、
を備えたシート搬送装置であって、
前記第１の位置は、前記駆動側ラチェットが前記従動側ラチェットと前記クラッチの軸方向で完全に噛み合うときの前記駆動側ラチェットの位置であり、前記第２の位置は、前記駆動側ラチェットの爪の先端が前記従動側ラチェットの爪の先端と前記クラッチの軸方向で同位置にあるときの前記駆動側ラチェットの位置であり、
前記駆動側ラチェットが前記第２の位置に位置する場合、前記付勢部材の付勢力が前記駆動側ラチェットに作用し、前記駆動側ラチェットが前記第１の位置に位置する場合、前記付勢部材の付勢力が前記駆動側ラチェットに作用しないことを特徴とする。
【手続補正７】
【補正対象書類名】明細書
【補正対象項目名】００２０
【補正方法】変更
【補正の内容】
【００２０】
また、駆動源と、
前記駆動源からの動力を受けて回転する駆動ギアと、
前記駆動ギアを介して該駆動源からの動力を受けて回転する従動ギアと、
前記駆動ギアから前記従動ギアへ前記駆動源の動力を伝達する噛み合いクラッチであって、前記クラッチの軸方向へ移動可能である駆動側ラチェットと、前記駆動側ラチェットと係合する従動側ラチェットと、を有する噛み合いクラッチと、
前記従動ギアと連動して回転するシート搬送ローラと、
を備えたシート搬送装置であって、
前記駆動ギアははす歯ギアであり、前記はす歯ギアと前記駆動側ラチェットとは１つの部材であり、
前記駆動側ラチェットが前記駆動源からシート搬送方向の動力を受けて回転するとき、前記はす歯ギアは前記駆動側ラチェットを前記従動側ラチェットに向けて付勢し、前記駆動側ラチェットが前記シート搬送ローラからシート搬送方向の動力を受けるとき、前記はす歯ギアは前記駆動側ラチェットを前記従動側ラチェットから離す方向に付勢することを特徴とする。